(57)【要約】【課題】支柱間へ塀パネルを容易に取り付けできると共に、良好な意匠性を備えさせる。【解決手段】塀パネルの縦枠に前隠蔽板部と後隠蔽板部をそれぞれ側方の支柱側へ突出させて形成させ、前記前隠蔽板部の側端に切欠部を形成させる。縦枠を支柱へ取り付ける支持金具は、支柱の外面に当接させる取付板部と、この取付板部から延設させて前記塀パネル側へ突出する前板部とを備えさせ、前記取付板部を貫通する締結部材によって前記支柱へ取り付ける。前記塀パネルは、前記締結部材の端部を前記切欠部の内側に通し前隠蔽板部を通過させて、前記前隠蔽板部と後隠蔽板部との間の中間部に前記締結部材の端部を配置させ、前記塀パネルの前記前隠蔽板部を前記支持金具の前板部へ当接させて取り付ける。塀パネルを支持金具の上方へ持ち上げずに後方側から移動させて取り付け可能となされる。【選択図】        図８
2015175202.tif 000002
【特許請求の範囲】
【請求項１】
間隔をおいて立設される支柱と、該各支柱に取り付けられた支持金具を介して支柱間に架設される塀パネルを備え、
前記塀パネルは、パネル本体と、該パネル本体の左右両端にそれぞれ設けられた縦枠を備え、該縦枠には前後に間隔をおいて配置される前隠蔽板部及び後隠蔽板部がそれぞれ側方の支柱側へ突出して形成され、前記前隠蔽板部の側端には切欠部が形成されており、
前記支持金具は、前記支柱の側方外面に当接される取付板部と、該取付板部の前端から延設されて側方の前記塀パネル側へ突出する前板部とを備え、前記支持金具は前記取付板部を貫通する締結部材によって前記支柱へ取り付けられており、
前記塀パネルは、前記取付板部から突出する前記締結部材の端部を前記切欠部の内側に通し前隠蔽板部を通過させて、前記前隠蔽板部と後隠蔽板部との間の中間部に前記締結部材の端部を配置可能に形成されており、
前記中間部に前記締結部材の端部を配置させた前記塀パネルの前記前隠蔽板部が前記支持金具の前板部へ当接して取り付けられていることを特徴とする塀。
【請求項２】
前記塀パネルの前隠蔽板部の切欠部が、前記前隠蔽板部に当接する前記支持金具の前板部で塞がれていることを特徴とする塀。
【請求項３】
前記支持金具は、前記取付板部の後端から延設されて側方の塀パネル側へ突出する後板部を備え、
該後板部が前記締結部材の端部に対応する高さ位置に形成されていることを特徴とする請求項１に記載の塀。
【請求項４】
前記後板部が、前記塀パネルの前記後隠蔽板部に当接していることを特徴とする請求項２に記載の塀。
【発明の詳細な説明】
【技術分野】
【０００１】
本発明は、立設する支柱間にパネルを架設させて設ける目隠し塀や、防音塀など、各種の塀に関するものである。
【背景技術】
【０００２】
支柱間にパネルを架設させて設ける塀については、従来よりよく用いられており、種々の発明が開示されている。
例えば、本出願人が開示する特許文献１には、段落００２５〜００２６や図１等において、２本の支柱２間に配設させ縦方向に連設させる複数枚のパネル３から構成させる塀１において、支柱２を断面略Ｈ型に形成し、当該支柱２のフランジ２１間の取付溝２２内にパネル３を嵌挿させて配設する構成が示されており、また、段落００３７や図６には、パネル３と係合するフランジ部２３１を２個備えるパネル保持部２３を支柱２に設ける構成が示されている。
【０００３】
また、本出願人が開示する特許文献２には、地表に立設された支柱間に面材を架設している塀において、面材が備える左右の縦枠に連結部材を設け、この連結部材を支柱の横側面に固定させた支持金具に固定するように形成させて、前方から面材を移動させて左右の支持金具に連結部材をそれぞれ合わせるように設けた構成が示されている。
【先行技術文献】
【特許文献】
【０００４】
【特許文献１】特開２００９−１２１１７６号公報
【特許文献２】特開２００９−１９１５１８号公報
【発明の概要】
【発明が解決しようとする課題】
【０００５】
特許文献１に示される塀は、フランジ２１が配設させたパネル３の厚み方向への動きあるいは傾きを制限するのでパネル３の係止状態が安定するが、支柱２へパネル３を取り付ける際には、パネル３を支柱３やフランジ部２３１の上方へ持ち上げる必要があった。
また、特許文献２に示される塀は、面材を支柱へ取り付ける際に、支柱の上方へ持ち上げる必要は無いが、意匠性を向上させるために、支持金具の表側面を覆うための化粧用板カバーを固定させていた。
【０００６】
本発明は、これらとは異なる構成によって、支柱間へ架設させる塀パネルを容易に取り付け可能で、意匠性も良好な塀を提供するものである。
【課題を解決するための手段】
【０００７】
上記目的を達成するため、本発明は以下のような構成としている。
すなわち本発明に係る塀は、間隔をおいて立設される支柱と、該各支柱に取り付けられた支持金具を介して支柱間に架設される塀パネルを備え、
前記塀パネルは、パネル本体と、該パネル本体の左右両端にそれぞれ設けられた縦枠を備え、該縦枠には前後に間隔をおいて配置される前隠蔽板部及び後隠蔽板部がそれぞれ側方の支柱側へ突出して形成され、前記前隠蔽板部の側端には切欠部が形成されており、
前記支持金具は、前記支柱の側方外面に当接される取付板部と、該取付板部の前端から延設されて側方の前記塀パネル側へ突出する前板部とを備え、前記支持金具は前記取付板部を貫通する締結部材によって前記支柱へ取り付けられており、
前記塀パネルは、前記取付板部から突出する前記締結部材の端部を前記切欠部の内側に通し前隠蔽板部を通過させて、前記前隠蔽板部と後隠蔽板部との間の中間部に前記締結部材の端部を配置可能に形成されており、
前記中間部に前記締結部材の端部を配置させた前記塀パネルの前記前隠蔽板部が前記支持金具の前板部へ当接して取り付けられていることを特徴とするものである。
【０００８】
本発明に係る塀によれば、間隔をおいて立設させる支柱と、この各支柱に取り付けた支持金具を介して支柱間に架設させる塀パネルを備え、前記塀パネルは、パネル本体と、このパネル本体の左右両端にそれぞれ設けた縦枠を備え、この縦枠に前後に間隔をおいて配置させる前隠蔽板部及び後隠蔽板部をそれぞれ側方の支柱側へ突出させて形成させるので、支柱とパネル本体との間の隙間が前記前隠蔽板部と後隠蔽板部とで隠れ、意匠性が良好となる。
また、前記塀パネルを支柱へ取り付けるための支持金具に、前記支柱の側方外面に当接させる取付板部と、この取付板部の前端から延設させて側方の前記塀パネル側へ突出させる前板部とを備えさせて、前記取付板部を貫通する締結部材によって前記支持金具を前記支柱へ取り付けるので、前記前板部を側方へ突出させて支持金具を支柱へ強固に取り付けることができる。
また、前記前隠蔽板部と後隠蔽板部との間の中間部に前記締結部材の端部を配置可能に前記塀パネルを形成させ、前記中間部に前記締結部材の端部を配置させた前記塀パネルの前記前隠蔽板部を前記支持金具の前板部へ当接して取り付けるので、前記締結部材の端部が前記前隠蔽板部と後隠蔽板部との間に隠れて視認されにくくなされ、意匠性が向上する。
また、前記取付板部から突出する前記締結部材の端部を前記前隠蔽板部に設けた切欠部の内側に通して前隠蔽板部を通過させることができるので、前記塀パネルを支持金具へ取り付けるときに、塀パネルを支持金具の上方へ持ち上げずに後方側から移動させて取り付け可能となされ、その取り付けを容易に行うことができる。
【０００９】
また、前記塀パネルの前隠蔽板部の切欠部を、前記前隠蔽板部に当接する前記支持金具の前板部で塞げば、切欠部そのものが視認されにくくなされると共に、前記前隠蔽板部の前方側から前記切欠部を通して視認される前記締結部材の端部が、前記切欠部を塞ぐ支持金具の前板部で隠されるので、意匠性が向上する。
【００１０】
また、前記取付板部の後端から延設させて側方の塀パネル側へ突出させる後板部を前記支持金具に設け、この後板部を前記締結部材の端部に対応する高さ位置に形成すれば、塀を後方側から目視したときに、塀パネルの後隠蔽板部と支柱との隙間からは前記後板部が視認されて、締結部材の端部が視認されにくくなされるので、その意匠性がより向上するので、好ましい。
【００１１】
また、前記後板部を、前記塀パネルの前記後隠蔽板部へ当接させれば、塀パネルと支持金具との間のがたつき等が抑制され、両者の取り付けがより安定するので、好ましい。
【発明の効果】
【００１２】
本発明に係る塀によれば、支柱間へ架設させる塀パネルを容易に取り付け可能であると共に、良好な意匠性を備える。
【図面の簡単な説明】
【００１３】
【図１】本発明に係る塀の実施の一形態を示す、（イ）は平面図であり、（ロ）は正面図である。
【図２】図１の塀パネルを示す正面図である。
【図３】塀パネルの縦枠付近の横断面を示す、図２のＡ−Ａ断面図である。
【図４】図１の支持金具を示す、（イ）は平面図であり、（ロ）は正面図であり、（ハ）は背面図である。
【図５】図４の支持金具の斜視図である。
【図６】支柱へ図４の支持金具を取り付けた状態を示す横断面図である。
【図７】図６の支持金具の前板部へ、図２の塀パネルの前隠蔽板部を当接させた状態を示す図である。
【図８】図７の支持金具へ塀パネルを取り付けた状況を示す図である。
【図９】図８の支柱へ更に塀パネルを取り付けた状況を示す図である。
【発明を実施するための形態】
【００１４】
本発明の実施の形態を図面に基づき具体的に説明する。
図面において、Ｆは塀である。
本実施形態の塀Ｆは、設置面Ｇに適宜間隔をおいて立設させた支柱１の間に塀パネル２を架設させて形成しており、前記塀パネル２は、支持金具６を介して支柱１に取り付けている。
【００１５】
前記支柱１は、断面円形状の筒状に形成させており、具体的には、金属パイプで形成させている。前記支柱の材質は、強度的に安定している周囲が円形状の鋼管を好適にも用いることができ、鋼材以外の他の金属を用いてもよい。他の金属としては、アルミニウム合金、ステンレス合金等を挙げることができる。また、支柱１の耐食性や耐候性を高めるために金属めっきや塗装を施してもよい。また、前記支柱１の上端には、内側の中空部分の開口を塞ぐ支柱キャップ１１を取り付けている。
【００１６】
図２は図１の塀パネル２を示す正面図である。
前記塀パネル２は、矩形状のパネル本体３と、このパネル本体３の左右端部に相対向して配置される縦枠４と、上下端部に相対向して配置される横枠５とを備え、縦枠４及び横枠５によってパネル本体３の外周部が囲まれている。
【００１７】
パネル本体３は、正面視矩形状の板状体であって、本形態では、合成樹脂からなるシート状の芯材の表裏両面に金属箔を積層した積層体である。この金属箔を積層した三層構造により、芯材が合成樹脂であって軽量化を図りながら、比較的曲げ強度が高くなるので、本形態に係る塀Ｆに用いられる時に耐風荷重性が優れたものとなる。なお、パネル本体３は、本形態に限定されるものではなく、例えば、前記合成樹脂製芯材において、発泡芯材を用いてもよく、無機材料や硝子繊維や炭素繊維等を含むものでもよい。更に、パネル本体３として、金属板や、前記合成樹脂製芯材を単独で用いたものでもよく、これらを複数積層させたものを用いてもよい。
【００１８】
図３は、塀パネル２の縦枠４付近の横断面を示す、図２のＡ−Ａ断面図である。
図３は、塀パネル２の図中左側に配置させた縦枠４付近の横断面を示しているが、図中右側に配置させた縦枠４付近の横断面は、図３と左右対称の形状に形成させている。
縦枠４は、パネル本体３の側端部３１を支持しており、前後に間隔をおいて設けられた前側壁４１と後側壁４２と、左右に間隔をおいて設けられた内側壁４３と外側壁４４とによって内部に中空部４５が形成された略矩形状のものである。前記内側壁４３は、パネル本体３の左右の側端部３１が挿入されるように、縦枠４の内部に向かって凹む凹溝４３ａが、上下方向に沿って設けられている。すなわち、前記凹溝４３ａを相対向させて、パネル本体３の左右端部に縦枠４が配置されている。また縦枠４の上端には、中空部４５の開口を塞ぐキャップ４ａが取付けられている。
【００１９】
前記縦枠４には、平板状に設けて側方へ突出させる前隠蔽板部４６と、後隠蔽板部４７を形成させている。
具体的には、前記前隠蔽板部４６と後隠蔽板部４７は縦枠４の全長に亘って一体的に形成させており、それぞれの板面を前記外側壁４４に対し垂直に配置させ、外側壁４４から側方へ突出するように形成させている。
詳細には、前記前隠蔽板部４６は、その前面４６ａを前記前側壁４１の前面と面一に形成させており、前記後隠蔽板部４７は、その後面４７ａを前記後側壁４２の後面と面一に形成させている。
即ち、前記前隠蔽板部４６と後隠蔽板部４７とは、それぞれ前後に間隔をおいて配置させており、その間に隙間である中間部４９が形成されるように設けている。
【００２０】
また、前記縦枠４の前隠蔽板部４６には、矩形形状の切欠部４８を形成させている。前記切欠部４８は、前隠蔽板部４６の突出する先側から元側へ向けて窪む凹状部分であり、前隠蔽板部４６を矩形に切り欠いたような形状に形成させている。
図２に示すように、前記切欠部４８は、上下に間隔をあけて前隠蔽板部４６に２個１組で形成させており、１枚の塀パネル２において２組４個の切欠部４８を形成させている。
【００２１】
また、図３に示すように、前記縦枠４には、前側壁４１を貫通する円形の通孔４１ａを形成させると共に、後側壁４２を貫通する円形の通孔４２ａを形成させている。
前記通孔４１ａと通孔４２ａは、互いに対応する位置にそれぞれ形成させており、通孔４１ａと通孔４２ａとに後述するボルトＢ１を挿通させ縦枠４を貫通させて取り付けることができるように設けている。
図２に示すように、前記通孔４１ａは、前記切欠部４８の側方に１個づつ形成させており、前記通孔４１ａ及び通孔４２ａは、前記切欠部４８と同様に、１枚の塀パネル２においてそれぞれ２組４個づつ形成させている。
【００２２】
前記縦枠４は、アルミニウム合金の押出成形からなる長尺形材を用いて形成している。前記縦枠の材質は、これに限るものではなく、アルミニウム合金以外のステンレス合金や鋼材等の他の金属を用いてもよい。また、縦枠４の成型方法は押出成形によるものに限るものではなく、板材をプレス加工や曲げ加工等によって成形したものでもよい。
【００２３】
図４は図１の支持金具６を示す、（イ）は平面図であり、（ロ）は正面図であり、（ハ）は背面図であり、図５は図４の支持金具６の斜視図である。
前記支持金具６は、１枚の金属板を曲げ加工して形成させており、前記支柱１の外面に当接させて取り付ける取付板部６１を備えている。
【００２４】
前記取付板部６１は矩形板状に形成させている。
具体的には、前記取付板部６１は周囲を円形状に形成させた前記支柱１の外面に対応する円弧状の曲板形状に形成させており、この取付板部６１の凹状となされた面を前記支柱１の外面へ当接させて取り付けるように設けている。
また、前記取付板部６１には、支持金具６を支柱１へ取り付けるために用いる締結部材７を挿通させるための矩形の貫通孔６１ａを形成させており、前記貫通孔６１ａは取付板部６１の上下方向中央付近の位置に形成させている。
【００２５】
前記取付板部６１の一方の端には、側方へ突出する前板部６２を延設させて形成させている。
前記前板部６２は、上下の大きさを前記取付板部６１と同じ大きさに形成させており、前記取付板部６１の凸状となされた面側へ突出するように設けている。
また、前記前板部６２には、矩形の貫通孔６２ａを形成させており、前記貫通孔６２ａは前板部６２の上下方向中央付近に形成させている。
【００２６】
前記前板部６１と逆側の前記取付板部６１の端には、側方へ突出する後板部６３を延設させて形成させている。前記後板部６３の突出方向への大きさは、前記前板部６２よりも小さく形成させている。
また、前記後板部６３の上下方向の大きさは、前記取付板部６１及び前板部６２よりも小さく形成させており、前記取付板部６１の上下方向中央付近の位置に配置させて形成させている。即ち、前記後板部６３は、前記取付板部６１に設けた貫通孔６１ａに対応する高さ位置に形成させている。
【００２７】
前記前板部６２と後板部６３は同じ方向へ突出させて設けており、詳細には、前板部６２と後板部６３とを平行に配置させている。
これにより、前記支持金具６は、取付板部６１を支柱１の側方外面へ当接させて取り付けたときに、前記前板部６２と後板部６３とが前後に配置されて支柱１の側方へそれぞれ突出するように形成させている。
【００２８】
図６は、支柱１へ図４の支持金具６を取り付けた状態を示す横断面図である。
図６は、２個の支持金具６を、ボルト・ナットからなる締結部材７を用いて支柱１へ取り付けた状態を示している。
【００２９】
前記支柱１には、支柱１の筒壁を貫通する通孔１２を形成させている。
前記通孔１２は、前記支柱１の両側の側方にそれぞれ１個づつ、２個１組で形成させており、前記締結部材７は前記各通孔１２へ挿通させ、支柱１を横方向へ貫通するように取り付けている。
前記支柱１には、２個１組に形成させた通孔１２を、上下に配置させて２組形成させている。
【００３０】
前記支持金具６は、取付板部６１を支柱１の外面へ当接させ、前記取付板部６１に設けた貫通孔６１ａへ前記支柱１に貫通させた締結部材７を挿通させて、この締結部材７の締結によって支柱１へ取り付けている。
即ち、支柱１へ取り付けた前記支持金具６の取付板部６１には、その板面に前記締結部材７の端部７２が当接して係合される。
また、締結部材７の端部は、前記貫通孔６１ａの形成位置に配置されるので、この貫通孔６１ａに対応する高さ位置に形成させた前記後板部６３と同じ高さに配置される。
【００３１】
前記支柱１に取り付ける各支持金具６は、その前板部６１を前方側に配置させ、後板部６２を後方側に配置させて取り付けている。
即ち、前記支持金具６は、その前板部６１と後板部６２とを側方へ突出させて支柱１に取り付けられる。
尚、図６においては、図中下方を指す矢印Ｙ１が前方を示し、図中上方を示す矢印Ｙ２が後方を示している。
【００３２】
前記支持金具６を取り付けた支柱１へ、前記塀パネル２を取り付けるとき、最初に、塀パネル２の縦枠４を前記支柱金具６の後方に配置させ、これを前方へ移動させる。
そして、前記支柱金具６の後板部６２と、締結金具７の端部７２とを、前記縦枠４の切欠部４８の内側に設けられる凹状の隙間部分を通して前隠蔽板部４６を通過させ、前記前隠蔽板部４６と後隠蔽板部４７との間の中間部４９の内側に位置させる。
【００３３】
更に、前記塀パネル２を前方へ移動させ、縦枠４の前面である前側壁４１の前面及び前隠蔽板部４６の前面４６ａが、前記支持金具６の前板部６２の板面へ当接するまで、前記縦枠４を移動させる。
図７は、図６の支持金具６の前板部６２へ、図２の塀パネル２の前隠蔽板部４６を当接させた状態を示す図である。
【００３４】
図７に示すように、前記前板部６２を前記前隠蔽板部４６に当接させたとき、支柱金具６の後板部６３が縦枠４の後隠蔽板部４７に当接するように、前記支持金具６を形成している。
即ち、前記支持金具６は、前記前板部６２と後板部６３の各後面間の間隔を、前記縦枠４の前隠蔽板部４６と後隠蔽板部４７の各前面間の間隔と同じ大きさに設けている。
【００３５】
また、図７に示すように、前記支持金具６の前板部６２を前記縦枠４の前隠蔽板部４６に当接させたとき、前板部６２の貫通孔６２ａと前記前隠蔽板部４６の通孔４１ａとを重ねて配置できるように、前記各貫通孔６２ａと各通孔４１ａを形成させている。
即ち、前記貫通孔６２ａと通孔４１ａとを重ねるようにして、前記支持金具６と縦枠４とを当接させたときに、前記支持金具６の貫通孔６２ａと、前記縦枠４の前側壁４１の通孔４１ａ、及び縦枠４の後側壁４２に形成した通孔４２ａの位置が一致して前後に配置されるように、それぞれ形成させている。
【００３６】
位置を一致させて配置させた、前記縦枠４の通孔４１ａ、４２ａ、及び前記支持金具６の貫通孔６２ａへ、ボルトＢ１を挿通させてナットＮ１へ螺結させることで、前記縦枠４が支持金具６へ取り付けられる。
図８は図７の支持金具６へ塀パネル２を取り付けた状況を示す図である。
【００３７】
前記縦枠４の切欠部４８は、その上下方向の大きさを、前記支持金具６の前板部６２の上下方向の大きさよりも小さく形成させている。
即ち、前記支持金具６へ塀パネル２の縦枠４を取り付けたときに、縦枠４の前隠蔽板部４６に設けた前記切欠部４８が前記支持金具６の前板部６２で覆われて隠れるように設けている。
このため、支柱１への取り付けのために設けた、前記縦枠４の切欠部４８や、縦枠４の中間部４９に配置させた締結部材７の端部７２が、塀パネル２の前方側から視認できなくなり、意匠性が向上する。
【００３８】
また、前記支持金具６へ塀パネル２を取り付けたときに、支持金具４の後板部６２が、縦枠４の後隠蔽板部４７へ当接するので、取り付けた塀パネル２が風を受けたり、人が触ったりした場合でも、歪みやガタつきなどが抑制されて、より安定して設置できる。
【００３９】
図８は、支柱１へ取り付けた２個の支持金具６のうち、図中右側へ取り付けた支持金具６へ塀パネル２を取り付けた状態を示しているが、図中左側へ取り付けた支持金具６へも、同様の方法で、塀パネル２を取り付けることができる。
即ち、前記支持金具６の後方に塀パネル２の縦枠４を配置させ、支持金具６の後板部６３と締結部材７の端部７２とを前記切欠部４８を通じて縦枠４の中間部に配置させ、支持金具６の前板部６２と後板部６３とをそれぞれ縦枠４の前隠蔽板部４６と後隠蔽板部４７とへ当接させた状態で、縦枠４の通孔４１ａ、４２ａ及び支持金具６の貫通孔６２ａに挿通させたボルト・ナットＢ１、Ｎ１を螺結させて、塀パネル２を支持金具６へ取り付けることができる。
図９は図８の支柱１へ更に塀パネル２を取り付けた状況を示す図である。
また、図９は、図１のＡ−Ａ断面図である。
【００４０】
尚、前記図６〜９に示す支柱１には、支持金具６を２個取り付けているが、図１の左側に配置させた支柱１のように、支柱１に支持金具６を１個のみ取り付けてもよい。
【００４１】
尚、本発明に係る塀Ｆは、上記実施形態に限定されるものではなく、本発明の要旨を逸脱しない範囲で種々の変更が可能である。
【００４２】
例えば、図１〜９に示す実施形態の塀Ｆは、周囲を円形形状に形成させた支柱１に塀パネル２を取り付けているが、これに限るものではなく、周囲を矩形形状に形成させた支柱１に、塀パネル２を取り付けても良い。
この場合、支持金具６の取付板部６１は曲板形状ではなく、平面となされた前記支柱１の外面に対応する平板形状に形成させるのがよい。
【００４３】
また、図１〜９に示す実施形態の塀Ｆは、支柱１全体を貫通する１個の締結金具７により支持金具６を取り付けているが、これに限るものではなく、支柱１の筒壁に設けた雌ねじ部や、支柱１の内側に配置させたナットなどの雌ねじ部材へ締結金具７の雄ねじ部を螺結させて前記支柱金具６を取り付けるように設けても良い。
【符号の説明】
【００４４】
１    支柱
１１  支柱キャップ
１２  貫通孔
２    塀パネル
３    パネル本体
３１  側端部
４    縦枠
４１  前側壁
４１ａ  通孔
４２  後側壁
４２ａ  通孔
４３  内側壁
４３ａ  凹溝
４４  外側壁
４５  中空部
４６  前隠蔽板部
４７  後隠蔽板部
４８  切欠部
４９  中間部
５    横枠
６    支持金具
６１  取付板部
６２  前板部
６２ａ  貫通孔
６３  後板部
７    締結部材
７２  端部
Ｆ    塀
Ｇ    設置面
【図１】
2015175202.tif 000003
【図２】
2015175202.tif 000004
【図３】
2015175202.tif 000005
【図４】
2015175202.tif 000006
【図５】
2015175202.tif 000007
【図６】
2015175202.tif 000008
【図７】
2015175202.tif 000009
【図８】
2015175202.tif 000010
【図９】
2015175202.tif 000011